(57)【要約】【課題】ソケットとプラグの接続解除作業を容易に行うことができるとともに、使用中の不慮の接続解除を確実に防止することのできる管継手を提供する。【解決手段】ロックスリーブ１４の軸方向一端にロックスリーブ１４の軸方向に突出する突出部１４ｄを設け、溝１４ｃを係止ピン１５が突出部１４ｄの周方向一端に当接する位置で係止ピン１５と周方向に位置合わせされるように配置したので、ロックスリーブ１４を突出部１４ｄと係止ピン１５との当接位置まで回動し、そのまま軸方向に移動させることによりソケット１０とプラグ２０の接続を解除することができる。これにより、従来のように係止ピンとロックスリーブの溝とを目視により位置合わせする作業を必要とせず、暗い場所や配管が複雑に配置された場所においても、ソケット１０とプラグ２０との接続解除作業を容易に行うことができる。【選択図】図５
2009281537.tif 000002
【特許請求の範囲】
【請求項１】
一方の配管に接続されるソケットと、他方の配管に接続されるプラグと、ソケット側に径方向に移動自在に設けられ、プラグ側の係合部に係合することによりプラグの軸方向の移動を規制する複数のボールと、ソケット側に軸方向に移動自在に設けられ、軸方向一方に移動することにより各ボールの係合解除方向への移動を規制し、軸方向他方に移動することにより各ボールの係合解除方向への移動を可能にするロックスリーブとを備え、ロックスリーブをソケット本体の周方向に回動自在に設けるとともに、ロックスリーブの軸方向一端の周方向所定位置に設けた溝にソケット本体に突設した係止部を位置合わせすることにより、溝に係止部を受容してロックスリーブの軸方向他方への移動を可能にするようにした管継手において、
前記ロックスリーブの軸方向一端にロックスリーブの軸方向に突出する突出部を設け、前記溝を係止部が突出部の周方向一端に当接する位置で係止部と周方向に位置合わせされるように配置した
ことを特徴とする管継手。
【請求項２】
前記突出部をロックスリーブの周方向一部を軸方向に突出させることによって形成した
ことを特徴とする請求項１記載の管継手。
【請求項３】
前記突出部を、その周方向一端が係止部に当接する位置から周方向他端が係止部に当接する位置までロックスリーブが１８０゜以上回動するように形成した
ことを特徴とする請求項１または２記載の管継手。
【発明の詳細な説明】
【技術分野】
【０００１】
本発明は、例えば油圧装置等に用いられる高圧配管を接続するための管継手に関するものである。
【背景技術】
【０００２】
従来、この種の管継手としては、一方の配管に接続されるソケットと、他方の配管に接続されるプラグと、ソケット内に軸方向に移動自在に設けられ、スプリングによってソケット側の弁座に圧接することによりソケット側の流路を閉鎖するソケット側弁体と、プラグ内に軸方向に移動自在に設けられ、スプリングによってプラグ側の弁座に圧接することによりプラグ側の流路を閉鎖するプラグ側弁体と、ソケット側に径方向に移動自在に設けられ、プラグ側の係合部に係合することによりプラグの軸方向の移動を規制する複数のボールと、ソケット側に軸方向に移動自在に設けられ、軸方向一方に移動することにより各ボールの係合解除方向への移動を規制し、軸方向他方に移動することにより各ボールの係合解除方向への移動を許容するロックスリーブとを備えたものが知られている（例えば、特許文献１参照。）。
【０００３】
この管継手では、ロックスリーブを軸方向他方に移動してプラグをソケットに挿入すると、各弁体が先端同士を当接させながらそれぞれ弁座から後退し、各弁体が開放されてソケットとプラグの流路が互いに連通するようになっている。また、プラグをソケットに挿入すると、各ボールがプラグの係合部に係合し、ロックスリーブを軸方向一方に移動すると、各ボールの径方向外側（係合解除方向）への移動が規制され、ソケットとプラグとが互いに結合状態でロックされるようになっている。
【０００４】
ところで、前記管継手においては、ロックスリーブを軸方向一方に移動することにより、各ボールがロックスリーブによって係合解除方向への移動を規制されるようになっているが、ロックスリーブが外部との接触や振動等により軸方向他方に移動し、ソケットとプラグとの接続が解除されるおそれがある。そこで、ソケットの外周面にロックスリーブに軸方向に係止可能なピンを設け、ピンとの係止によりロックスリーブの軸方向他方への移動を規制するとともに、ロックスリーブの周方向所定位置にピンを受容可能な溝を設け、ソケットとプラグとの接続を解除する場合は、ロックスリーブを回動してピンの位置に溝を合わせることにより、ロックスリーブの軸方向他方への移動を許容するようにしたものが知られている（例えば、特許文献２参照。）。
【特許文献１】特開２００３−２０２０９６号公報
【特許文献２】特開平８−１７８１５９号公報
【発明の開示】
【発明が解決しようとする課題】
【０００５】
しかしながら、前記管継手では、ソケットとプラグとの接続を解除する際、ロックスリーブの溝を目視によりピンに位置合わせする必要があるため、暗い場所や配管が複雑に配置された場所では、ロックスリーブの回動操作による位置合わせが困難になり、ソケットとプラグとの接続解除作業を容易に行うことができないという問題点があった。
【０００６】
本発明は前記問題点に鑑みてなされたものであり、その目的とするところは、ソケットとプラグの接続解除作業を容易に行うことができるとともに、使用中の不慮の接続解除を確実に防止することのできる管継手を提供することにある。
【課題を解決するための手段】
【０００７】
本発明は前記目的を達成するために、一方の配管に接続されるソケットと、他方の配管に接続されるプラグと、ソケット側に径方向に移動自在に設けられ、プラグ側の係合部に係合することによりプラグの軸方向の移動を規制する複数のボールと、ソケット側に軸方向に移動自在に設けられ、軸方向一方に移動することにより各ボールの係合解除方向への移動を規制し、軸方向他方に移動することにより各ボールの係合解除方向への移動を可能にするロックスリーブとを備え、ロックスリーブをソケット本体の周方向に回動自在に設けるとともに、ロックスリーブの軸方向一端の周方向所定位置に設けた溝にソケット本体に突設した係止部を位置合わせすることにより、溝に係止部を受容してロックスリーブの軸方向他方への移動を可能にするようにした管継手において、前記ロックスリーブの軸方向一端にロックスリーブの軸方向に突出する突出部を設け、前記溝を係止部が突出部の周方向一端に当接する位置で係止部と周方向に位置合わせされるように配置している。
【０００８】
これにより、ロックスリーブを溝が係止部から周方向に離れる位置まで回動することにより、ロックスリーブが係止部に係止して軸方向の移動を規制されることから、使用中にロックスリーブが外部との接触や振動等により軸方向に移動することがない。また、ロックスリーブを突出部の周方向一端が係止部に当接する位置まで回動すると、ロックスリーブの溝が係止部と周方向に位置合わせされ、この当接位置で係止部を溝に受容することにより、ロックスリーブが軸方向他方に移動可能になる。
【発明の効果】
【０００９】
本発明によれば、使用中にロックスリーブが外部との接触や振動等により軸方向に移動することがないので、不慮の接続解除を確実に防止することができる。また、ロックスリーブを突出部と係止部との当接位置まで回動し、そのまま軸方向に移動させることによりソケットとプラグの接続を解除することができるので、従来のように係止ピンとロックスリーブの溝とを目視により位置合わせする作業を必要とせず、暗い場所や配管が複雑に配置された場所においても、ソケットとプラグとの接続解除作業を容易に行うことができる。
【発明を実施するための最良の形態】
【００１０】
図１乃至図５は本発明の一実施形態を示すもので、図１は管継手の一部断面側面図、図２はソケットの一部断面側面図、図３はプラグの一部断面側面図、図４はソケットの正面断面図、図５は管継手の動作を示す部分側面断面図である。
【００１１】
この管継手は、図示しない一方の配管に接続されるソケット１０と、図示しない他方の配管に接続されるプラグ２０とからなり、ソケット１０とプラグ２０を結合することにより、ソケット１０側の流路１０ａとプラグ２０側の流路２０ａとを連通するようになっている。
【００１２】
ソケット１０は、内部に流路１０ａを有するソケット本体１１と、ソケット本体１１の流路１０ａを開閉する弁体１２と、ソケット本体１１に径方向に移動自在に設けられた複数のボール１３と、各ボール１３の径方向の移動を規制するロックスリーブ１４とから構成されている。
【００１３】
ソケット本体１１は、軸方向一端側にプラグ２０を挿入可能に形成され、その軸方向一端側の内周面には弁体１２が軸方向に当接するテーパ状の弁座１１ａが設けられている。ソケット本体１１の軸方向他端側には配管接続部１１ｂが設けられ、配管接続部１１ｂはソケット本体１１の内周面に形成されるネジ部（図示省略）からなる。ソケット本体１１の軸方向一端側には各ボール１３を径方向に移動自在に保持する複数の保持孔１１ｃが互いに周方向に間隔をおいて設けられ、各保持孔１１ｃはソケット本体１１を径方向に貫通するように形成されている。また、ソケット本体１１の軸方向一端側の内周面には環状のゴムからなるシール材１１ｄが設けられ、シール材１１ｄによってソケット本体１１とプラグ２０との間が密閉されるようになっている。更に、ソケット本体１１の外周面の周方向所定位置には、ロックスリーブ１４の軸方向の移動を規制する係止部としての係止ピン１５が設けられ、係止ピン１５はソケット本体１１の外周面から径方向外側に向かって円柱状に突出するように形成されている。
【００１４】
弁体１２はソケット本体１１内にガイド部材１２ａを介して軸方向に移動自在に保持され、その先端側をソケット本体１１の弁座１１ａに当接させるようになっている。弁体１２は、弁座１１ａとの当接面をテーパ状に形成され、その先端側には軸方向に突出する突部１２ｂが設けられている。ガイド部材１２ａはソケット本体１１の内周面に固定されるとともに、その周方向一部を軸方向に開口することにより流体を流通可能に形成されている。ガイド部材１２ａには弁体１２を弁座１１ａ側に押圧するスプリング１２ｃが取付けられ、スプリング１２ｃによって弁体１２を弁座１１ａに圧接させることにより、ソケット側流路１０ａが閉鎖されるようになっている。
【００１５】
各ボール１３はそれぞれソケット本体１１の各保持孔１１ｃに径方向に移動自在に保持され、その一部を保持孔１１ｃの外側または内側に突出させるようになっている。
【００１６】
ロックスリーブ１４は円筒状の部材からなり、ソケット本体１１の外周面側に軸方向に移動自在に設けられている。ロックスリーブ１４の内周面には各ボール１３に径方向に当接可能な環状の当接部１４ａが突設され、当接部１４ａの軸方向一端面はテーパ状に形成されている。ロックスリーブ１４はスプリング１４ｂによって軸方向一方に付勢されており、ロックスリーブ１４が軸方向一方に移動すると、当接部１４ａが各ボール１３に当接し、各ボール１３の一部がソケット本体１１の内周面から径方向内側に突出して各ボール１３の径方向外側への移動が規制されるようになっている。また、ロックスリーブ１４を軸方向他方に移動すると、当接部１４ａと各ボール１３との当接が解除され、各ボール１３が径方向外側に移動可能になる。ロックスリーブ１４はソケット本体１１に周方向に回動自在に設けられ、その軸方向一端には係止ピン１５を軸方向に受容可能な溝１４ｃが周方向所定箇所に設けられている。また、ロックスリーブ１４の軸方向一端には、ロックスリーブ１４の周方向一部を軸方向に突出させてなる突出部１４ｄが設けられ、ロックスリーブ１４を周方向一方に回動すると、突出部１４ｄの周方向一端が係止ピン１５に当接し、ロックスリーブ１４を周方向他方に回動すると、突出部１４ｄの周方向他端が係止ピン１５に当接するようになっている。この場合、突出部１４ｄは、その周方向一端が係止ピン１５に当接する位置から周方向他端が係止ピン１５に当接する位置までロックスリーブ１４が所定角度θ（１８０゜以上３６０゜未満）だけ回動する周方向長さに形成されている。また、溝１４ｃは係止ピン１５が突出部１４ｄの周方向一端に当接する位置に配置され、この当接位置で係止ピン１５を溝１４ｃに受容することにより、ロックスリーブ１４が軸方向他方に移動できるようになっている。更に、ロックスリーブ１４の外周面には径方向に突出する環状の突出部１４ｅが設けられ、ロックスリーブ１４を軸方向に移動させる際に突出部１４ｅが滑り止めとなる。また、突出部１４ｅの外周面には周方向二箇所に切り欠き１４ｆが設けられ、例えばソケット本体１１とロックスリーブ１４との間に塵埃や異物が詰まり、ロックスリーブ１４を手動で回動操作することが困難になった場合、各切り欠き１４ｆにスパナ等の工具を係止して回動することができる。
【００１７】
プラグ２０は、内部に流路２０ａを有するプラグ本体２１と、プラグ本体２１内の流路２０ａを開閉する弁体２２とから構成されている。
【００１８】
プラグ本体２１は、軸方向一端側をソケット本体１１の軸方向一端側に挿入可能に形成され、その軸方向一端側の内周面には弁体２２が軸方向に当接するテーパ状の弁座２１ａが設けられている。プラグ本体２１の軸方向他端側には配管接続部２１ｂが設けられ、配管接続部２１ｂはプラグ本体２１の内周面に形成されるネジ部（図示省略）からなる。また、プラグ本体２１の外周面には、各ボール１３が係合する凹状の係合部２１ｃが周方向に連続して設けられている。
【００１９】
弁体２２はプラグ本体２１内にガイド部材２２ａを介して軸方向に移動自在に保持され、その先端側をプラグ本体２１の弁座２１ａに当接させるようになっている。弁体２２は、弁座２１ａとの当接面をテーパ状に形成され、その先端側には軸方向に突出する突部２２ｂが設けられている。ガイド部材２２ａはプラグ本体２１の内周面に固定されるとともに、ソケット１０のガイド部材１２ａと同様、その周方向一部を軸方向に開口することにより流体を流通可能に形成されている。また、ガイド部材２２ａには弁体２２を弁座２１ａ側に押圧するスプリング２２ｃが取付けられ、スプリング２２ｃによって弁体２２を弁座２１ａに圧接させることにより、プラグ側流路２０ａが閉鎖されるようになっている。
【００２０】
以上のように構成された管継手においては、ロックスリーブ１４を突出部１４ｄの周方向一端が係止ピン１５に当接する位置まで回動し、ロックスリーブ１４を軸方向一方から他方に移動してプラグ２０をソケット１０に挿入すると、各弁体１２，２２が互いに先端の突部１２ｂ，２２ｂを当接させながらそれぞれ弁座１１ａ，２１ａから後退し、各弁体１２，２２が開放されてソケット１０とプラグ２０の流路１０ａ，２０ａが互いに連通する。また、プラグ２０をソケット１０に挿入すると、各ボール１３がプラグ２０の係合部２１ｃに係合し、ロックスリーブ１４を軸方向他方から一方に移動することにより、ロックスリーブ１４の当接部１４ａによって各ボール１３の径方向外側（係合解除方向）への移動が規制され、ソケット１０とプラグ２０とが互いに結合状態でロックされる。ここで、図４(a) 及び図５(a) に示すようにロックスリーブ１４を突出部１４ｄの周方向他端が係止ピン１５に当接する位置まで回動すると、ロックスリーブ１４の溝１４ｃが係止ピン１５からロックスリーブ１４の周方向に離れた位置まで移動する。これにより、ロックスリーブ１４が外部との接触や振動等により軸方向他方に移動しようとした場合でも、ロックスリーブ１４の軸方向一端（突出部１４ｄ以外の部分）が係止ピン１５に係止して軸方向他方への移動を規制されることから、使用中にソケットとプラグとの接続が解除されることがない。また、図４(b) 及び図５(b) に示すようにロックスリーブ１４を突出部１４ｄの周方向一端が係止ピン１５に当接する位置まで回動すると、ロックスリーブ１４の溝１４ｃが係止ピン１５と周方向に位置合わせされ、この当接位置で係止ピン１５を溝１４ｃに受容することにより、ロックスリーブ１４が軸方向他方に移動可能になる。これにより、図５(c) に示すようにロックスリーブ１４を操作して軸方向他方に移動させることにより、ソケット１０とプラグ２０との接続が解除される。
【００２１】
このように、本実施形態によれば、ロックスリーブ１４を溝１４ｃが係止ピン１５から周方向に離れる位置まで回動することにより、ロックスリーブ１４を係止ピン１５に係止させて軸方向の移動を規制するようにしたので、ロックスリーブ１４が外部との接触や振動等により軸方向に移動することがなく、使用中の不慮の接続解除を確実に防止することができる。
【００２２】
また、ロックスリーブ１４の軸方向一端にロックスリーブ１４の軸方向に突出する突出部１４ｄを設け、溝１４ｃを係止ピン１５が突出部１４ｄの周方向一端に当接する位置で係止ピン１５と周方向に位置合わせされるように配置したので、ロックスリーブ１４を突出部１４ｄと係止ピン１５との当接位置まで回動し、そのまま軸方向に移動させることによりソケット１０とプラグ２０の接続を解除することができる。これにより、従来のように係止ピンとロックスリーブの溝とを目視により位置合わせする作業を必要とせず、暗い場所や配管が複雑に配置された場所においても、ソケット１０とプラグ２０との接続解除作業を容易に行うことができる。
【００２３】
更に、突出部１４ｄをロックスリーブ１４の周方向一部を軸方向に突出させることによって形成するようにしたので、突出部１４ｄを別部品によって形成する必要がなく、部品点数を増加させることがないという利点がある。
【００２４】
また、突出部１４ｄをその周方向一端が係止ピン１５に当接する位置から周方向他端が係止ピン１５に当接する位置までロックスリーブ１４が１８０゜以上回動するように形成したので、係止ピン１５が突出部１４ｄの周方向他端に当接する位置まで回動しておけば、係止ピン１５が突出部１４ｄの周方向一端に当接する位置へのロックスリーブ１４の回動量を十分に確保することができ、使用中の不慮の接続解除をより確実に防止することができる。尚、ロックスリーブ１４の回動可能角度は３６０゜未満であれば、１８０゜以上の何れの角度であってもよい。
【図面の簡単な説明】
【００２５】
【図１】本発明の一実施形態を示す管継手の一部断面側面図
【図２】ソケットの一部断面側面図
【図３】プラグの一部断面側面図
【図４】ソケットの正面断面図
【図５】管継手の動作を示す部分側面断面図
【符号の説明】
【００２６】
１０…ソケット、１１…ソケット本体、１３…ボール、１４…ロックスリーブ、１４ｃ…溝、１４ｄ…突出部、１５…係止ピン、２０…プラグ。
【図１】
2009281537.tif 000003
【図２】
2009281537.tif 000004
【図３】
2009281537.tif 000005
【図４】
2009281537.tif 000006
【図５】
2009281537.tif 000007